(57)【要約】【課題】感電事故を防止できるコンセント装置を提供することにある。【解決手段】コンセント装置は、プラグの一対の電源用の栓刃及び接地極用の栓刃がそれぞれ挿入される一対の電源用栓刃挿入孔３ａ，３ｂ及び接地極用栓刃挿入孔３ｃを前面に有する器体１と、器体１に収納されて一対の電源用の栓刃とそれぞれ接触接続される電源用刃受部と、器体１に収納されて接地極用の栓刃と接触接続される接地極用刃受部と、器体１の前面に露設されるアースターミナル７０と、中央部に設けられた開口窓８ｃから器体１の前面を露出させた状態で器体１が取り付けられる埋込配線器具用の金属枠８とを備え、アースターミナル７０には、器体１の側面に設けられた開口部３ｆから器体１外部へ導出され、金属枠８と接触接続される接続片７０ｄが一体に形成されている。【選択図】図１
2007173124.tif 000002
【特許請求の範囲】
【請求項１】
プラグの一対の電源用の栓刃及び接地極用の栓刃がそれぞれ挿入される一対の電源用栓刃挿入孔及び接地極用栓刃挿入孔を前面に有する器体と、前記器体に収納されて前記一対の電源用の栓刃とそれぞれ接触接続される電源用刃受部と、前記器体に収納されて前記接地極用の栓刃と接触接続される接地極用刃受部と、中央部に設けられた開口窓から前記前面を露出させた状態で前記器具が取り付けられる埋込配線器具用の金属枠とを備えるコンセント装置において、前記接地極用刃受部には、前記器体側面に設けられた開口部から前記器体外部へ導出され、前記金属枠と接触接続される接続片が一体に形成されていることを特徴とするコンセント装置。
【請求項２】
プラグの一対の電源用の栓刃及び接地極用の栓刃がそれぞれ挿入される一対の電源用栓刃挿入孔及び接地極用栓刃挿入孔を前面に有する器体と、前記器体に収納されて前記一対の電源用の栓刃とそれぞれ接触接続される電源用刃受部と、前記器体に収納されて前記接地極用の栓刃と接触接続される接地極用刃受部と、前記前面に露設されるアースターミナルと、中央部に設けられた開口窓から前記前面を露出させた状態で前記器体が取り付けられる埋込配線器具用の金属枠とを備えるコンセント装置において、前記アースターミナルには、前記器体側面に設けられた開口部から前記器体外部へ導出され、前記金属枠と接触接続される接続片が一体に形成されていることを特徴とするコンセント装置。
【請求項３】
前記開口部から前記器体外部へ導出された接続片の部位を覆うカバーを備えていることを特徴とする請求項１又は２に記載のコンセント装置。
【請求項４】
プラグの一対の電源用の栓刃及び接地極用の栓刃がそれぞれ挿入される一対の電源用栓刃挿入孔及び接地極用栓刃挿入孔を前面に有する器体と、前記器体に収納されて前記一対の電源用の栓刃とそれぞれ接触接続される電源用刃受部と、前記器体に収納されて前記接地極用の栓刃と接触接続される接地極用刃受部と、中央部に設けられた開口窓から前記前面を露出させた状態で前記器体が取り付けられる埋込配線器具用の金属枠とを備えるコンセント装置において、前記金属枠には、前記器体の側面に設けられた開口部を介して前記器体内に導入されて、前記接地極用刃受部と接触接続される接続片が一体に形成されていることを特徴とするコンセント装置。
【請求項５】
プラグの一対の電源用の栓刃及び接地極用の栓刃がそれぞれ挿入される一対の電源用栓刃挿入孔及び接地極用栓刃挿入孔を前面に有する器体と、前記器体に収納されて前記一対の電源用の栓刃とそれぞれ接触接続される電源用刃受部と、前記器体に収納されて前記接地極用の栓刃と接触接続される接地極用刃受部と、前記器体の前面に露設されるアースターミナルと、中央部に設けられた開口窓から前記前面を露出させた状態で前記器体が取り付けられる埋込配線器具用の金属枠とを備えるコンセント装置において、前記金属枠には、前記器体の側面に設けられた開口部を介して前記器体内に導入されて、前記アースターミナル、又は、前記アースターミナル及び前記接地極用刃受部の両方と接触接続される接続片が一体に形成されていることを特徴とするコンセント装置。
【発明の詳細な説明】
【技術分野】
【０００１】
本発明は、コンセント装置に関し、特に壁面等の施工面に埋め込み設置されるコンセント装置に関するものである。
【背景技術】
【０００２】
従来から、壁面等の施工面に埋め込み設置されるコンセント装置が提供されている。この種のコンセント装置は、図１１（ａ）に示すように、プラグの一対の電源用の栓刃（図示せず）及び接地極用の栓刃（図示せず）がそれぞれ挿入される一対の電源用栓刃挿入孔１００ａ，１００ｂ及び接地極用栓刃挿入孔１００ｃを前面に有する器体１００と、中央部に設けられた開口窓５００ａから器体１００の前面を露出させた状態で器体１００が取り付けられる埋込配線器具用の金属枠５００とを備えている（例えば、特許文献１）。
【０００３】
そして、器体１００には、図１１（ｂ）に示すように、一対の電源用栓刃挿入孔１００ａ，１００ｂからそれぞれ挿入されるプラグの一対の電源用の栓刃と個別に接触接続される電源用刃受部２００，２００が収納されている。また、器体１００には、接地極用栓刃挿入孔１００ｃから挿入されるプラグの接地極用の栓刃と接触接続される接地極用刃受部３００が収納されるとともに、器体１００の前面にはアースターミナル４００が露設されている。
【特許文献１】特開平１０−１３４８９４号公報（第１図及び第２図）
【発明の開示】
【発明が解決しようとする課題】
【０００４】
しかしながら、従来のコンセント装置では、金属枠５００が接地されていないため、コンセント装置の絶縁性の低下によって金属枠５００に電源用刃受部２００から漏電が発生した際に、金属枠５００や、金属枠５００と接触している金属部材（例えば、耐火プレート等）を介して使用者が感電してしまうおそれがあった。
【０００５】
本発明は上述の点に鑑みて為されたもので、その目的は、感電事故を防止できるコンセント装置を提供することにある。
【課題を解決するための手段】
【０００６】
上述の課題を解決するために、請求項１のコンセント装置の発明では、プラグの一対の電源用の栓刃及び接地極用の栓刃がそれぞれ挿入される一対の電源用栓刃挿入孔及び接地極用栓刃挿入孔を前面に有する器体と、前記器体に収納されて前記一対の電源用の栓刃とそれぞれ接触接続される電源用刃受部と、前記器体に収納されて前記接地極用の栓刃と接触接続される接地極用刃受部と、中央部に設けられた開口窓から前記前面を露出させた状態で前記器具が取り付けられる埋込配線器具用の金属枠とを備えるコンセント装置において、前記接地極用刃受部には、前記器体側面に設けられた開口部から前記器体外部へ導出され、前記金属枠と接触接続される接続片が一体に形成されていることを特徴とする。
【０００７】
請求項２のコンセント装置の発明では、プラグの一対の電源用の栓刃及び接地極用の栓刃がそれぞれ挿入される一対の電源用栓刃挿入孔及び接地極用栓刃挿入孔を前面に有する器体と、前記器体に収納されて前記一対の電源用の栓刃とそれぞれ接触接続される電源用刃受部と、前記器体に収納されて前記接地極用の栓刃と接触接続される接地極用刃受部と、前記前面に露設されるアースターミナルと、中央部に設けられた開口窓から前記前面を露出させた状態で前記器体が取り付けられる埋込配線器具用の金属枠とを備えるコンセント装置において、前記アースターミナルには、前記器体側面に設けられた開口部から前記器体外部へ導出され、前記金属枠と接触接続される接続片が一体に形成されていることを特徴とする。
【０００８】
請求項３のコンセント装置の発明では、請求項１又は２の構成に加えて、前記開口部から前記器体外部へ導出された接続片の部位を覆うカバーを備えていることを特徴とする。
【０００９】
請求項４のコンセント装置の発明では、プラグの一対の電源用の栓刃及び接地極用の栓刃がそれぞれ挿入される一対の電源用栓刃挿入孔及び接地極用栓刃挿入孔を前面に有する器体と、前記器体に収納されて前記一対の電源用の栓刃とそれぞれ接触接続される電源用刃受部と、前記器体に収納されて前記接地極用の栓刃と接触接続される接地極用刃受部と、中央部に設けられた開口窓から前記前面を露出させた状態で前記器体が取り付けられる埋込配線器具用の金属枠とを備えるコンセント装置において、前記金属枠には、前記器体の側面に設けられた開口部を介して前記器体内に導入されて、前記接地極用刃受部と接触接続される接続片が一体に形成されていることを特徴とする。
【００１０】
請求項５のコンセント装置の発明では、プラグの一対の電源用の栓刃及び接地極用の栓刃がそれぞれ挿入される一対の電源用栓刃挿入孔及び接地極用栓刃挿入孔を前面に有する器体と、前記器体に収納されて前記一対の電源用の栓刃とそれぞれ接触接続される電源用刃受部と、前記器体に収納されて前記接地極用の栓刃と接触接続される接地極用刃受部と、前記器体の前面に露設されるアースターミナルと、中央部に設けられた開口窓から前記前面を露出させた状態で前記器体が取り付けられる埋込配線器具用の金属枠とを備えるコンセント装置において、前記金属枠には、前記器体の側面に設けられた開口部を介して前記器体内に導入されて、前記アースターミナル、又は、前記アースターミナル及び前記接地極用刃受部の両方と接触接続される接続片が一体に形成されていることを特徴とする。
【発明の効果】
【００１１】
請求項１のコンセント装置の発明は、接地極用刃受部に一体に形成した接続片によって金属枠が接地されているので、コンセント装置の絶縁性の低下によって金属枠に漏電が発生した際に、このような漏電電流を大地に逃すことができ、これにより使用者が金属枠に触れることによる感電事故を防止できるという効果を奏する。また、接続片を接地極用刃受部に一体に形成しているから、金属枠を接地するために新たな部品を設ける必要がなくなり、これにより必要最小限の部品で金属枠を接地できて、コストの増加を抑制できるという効果を奏する。
【００１２】
請求項２のコンセント装置の発明は、アースターミナルに一体に形成した接続片によって金属枠が接地されているので、コンセント装置の絶縁性の低下によって金属枠に漏電が発生した際に、このような漏電電流を大地に逃すことができ、これにより使用者が金属枠に触れることによる感電事故を防止できるという効果を奏する。また、接続片をアースターミナルに一体に形成しているから、金属枠を接地するために新たな部品を設ける必要がなくなり、これにより必要最小限の部品で金属枠を接地できて、コストの増加を抑制できるという効果を奏する。
【００１３】
請求項３のコンセント装置の発明は、前記開口部から前記器体外部へ導出された接続片の部位をカバーで覆っているので、使用者が接続片を充電部分であると誤認して不安を感じてしまうことを防止できるという効果を奏し、また接続片の変色を防止できて美感を損なうことがないという効果を奏する。
【００１４】
請求項４又は５のコンセント装置の発明は、金属枠に一体に形成した接続片によって金属枠が接地されているので、コンセント装置の絶縁性の低下によって金属枠に漏電が発生した際に、このような漏電電流を大地に逃すことができ、これにより使用者が金属枠に触れることによる感電事故を防止できるという効果を奏する。しかも、接続片は金属枠に一体に形成されているので、接続片を接地極用刃受部やアースターミナルに形成する場合とは異なり、使用者が接続片を充電部分であると誤認して不安を感じてしまうことを防止できるという効果を奏する。また、接触片は一般に変色しにくい金属枠の一部からなるので、接続片の変色を防止できて美感を損なうことがないという効果を奏する。さらに、接地極用刃受部やアースターミナルのような材料コストの高い部品に上記のような接続片を設ける場合に比べてコストの増加を抑制できるという効果を奏する。
【発明を実施するための最良の形態】
【００１５】
以下、本発明の実施形態について図１〜図１０を参照して説明する。
【００１６】
（実施形態１）
本実施形態のコンセント装置は、壁面（図示せず）等の施工面に埋め込まれて使用される埋込型のアースターミナル付きコンセント装置であって、図１（ａ），（ｂ）に示すように、プラグの一対の電源用の栓刃（図示せず）及び接地極用の栓刃（図示せず）がそれぞれ挿入される一対の電源用栓刃挿入孔３ａ，３ｂ及び接地極用栓刃挿入孔３ｃを前面に有する器体１と、器体１に収納されて一対の電源用の栓刃とそれぞれ接触接続される一対の電源用刃受部４ａ，４ｂと、器体１に収納されて接地極用の栓刃と接触接続される接地極用刃受部５と、器体１の前面に露設されるアースターミナル７０と、中央部に設けられた開口窓８ｃから器体１の前面を露出させた状態で器体１が取り付けられる埋込配線器具用の金属枠８とを備え、アースターミナル７０には、器体１の側面に設けられた開口部３ｆから器体１外部へ導出され、金属枠８と接触接続される接続片７０ｄが一体に形成されている。
【００１７】
器体１は、金属枠８の開口窓８ｃに１つ取り付けることができる寸法、所謂３個モジュール寸法に形成されており、図３（ａ），（ｂ）に示すように、前面が開口した箱状のボディ２と、ボディ２の前面開口を覆うようにしてボディ２に取り付けられるカバー３とを有し、これらは金属枠８を用いて結合されるようになっている。
【００１８】
ボディ２は、合成樹脂製のものであって、図３（ｂ）に示すように、上述したように前面が開口した箱状に形成されており、ボディ２の短手方向における両側面には、カバー３との結合に用いられるリブ２ａが一対ずつ形成されている。また、ボディ２内は、仕切壁２ｂによって、ボディ２の中央部及びボディ２の長手方向一端側（図１（ａ）における左下側）からなる接地極用収納部Ｓ１と、ボディ２における残りの空間部とに仕切られている。さらに、前記空間部は、仕切壁２ｃによってボディ２の短手方向で２分割されて、一対の電源用収納部Ｓ２，Ｓ２が形成されている。
【００１９】
ここで、接地極用収納部Ｓ１におけるボディ２の長手方向一端側の底面には、図示しない接地用の電源線（以下、「接地線」と称する）をボディ２内に挿入するための接地線挿入孔２ｄ（図１（ｂ）参照）が形成されており、接地線挿入孔２ｄ近傍のボディ２の側面には、後述する解除レバー６２の操作部６２ａをボディ２の外方へ露出させるための開口部２ｅがそれぞれ設けられている。一方、各電源用収納部Ｓ２の底面には、図示しない電源線をボディ２内に挿入するための各一対の電源線挿入孔２ｆ，２ｆ（図１（ｂ）参照）が形成されており、電源線挿入孔２ｆ近傍のボディ２の短手方向両側面には、解除レバー６２の操作部６２ａをボディ２の外方へ露出させるための開口部２ｇがそれぞれ設けられている。
【００２０】
カバー３は、合成樹脂製のものであって、図３（ａ）に示すように、ボディ２の前面開口を覆うことができる程度の大きさに形成されており、カバー３の前面には、プラグの一対の電源用栓刃（図示せず）がそれぞれ挿入される接地側の電源用栓刃挿入孔３ａ及び電源側の電源用線刃挿入孔３ｂと、プラグの接地極用栓刃（図示せず）が挿入される接地極用栓刃挿入孔３ｃとからなるコンセント口が、カバー３の長手方向に沿って２つ形成されている。ここで、これらの挿入孔３ａ〜３ｃは、例えばＪＩＳＣ８３０３に規定された定格電圧１２５Ｖ、定格電流１５Ａ用のプラグ（図示せず）に対応した形状である。尚、コンセント口は、その他の規定に基づくものであってもよい。
【００２１】
また、カバー３の前面における長手方向一端側（図１（ａ）における左下側）には、アースターミナル７０を外部に臨ませるためのアース用開口部３ｄが形成されている。このアース用開口部３ｄには、アースターミナル７０用のカバー７３が着脱自在に取り付けられるようになっており、これによりアースターミナル７０を隠蔽して器体１の美感を向上できるようにしている。尚、カバー７３は、合成樹脂製のものである。
【００２２】
さらに、カバー３の短手方向両側面には、各一対のリブ３ｅが形成されており、これらは、カバー３をボディ２に被着した際に、ボディ２の各リブ２ａとともに金属枠８用の取付部１ａを構成するようになっている。加えて、カバー３の長手方向一端側の側面における短手方向中央部には、アースターミナル７０の接続片７０ｄを器体１から外部へ導出するための開口部３ｆが設けられている。
【００２３】
このような器体１には、図４（ａ）．（ｂ）に示すように、プラグの電源用の栓刃と接触接続される電源用刃受部４Ａ，４Ｂと、プラグの接地極用の栓刃と接触接続される接地極用刃受部５と、鎖錠ばね６０と、補助ばね６１と、解除レバー６２と、アースターミナル７０とが収納される。
【００２４】
電源用刃受部４Ａは、図４（ｂ）に示すように、接地側の電源用線刃挿入孔３ａから挿入されたプラグの栓刃が接触接続されるものであって、銅板等の導電性を有する金属板から曲成されて、長手方向両端側に、プラグの電源用の栓刃が接触接続される刃受ばね４ａをそれぞれ有するとともに、長手方向中央部に、電源線挿入孔２ｆから器体１内に挿入された電源線との接触接続に用いられる端子部４ｂを有している。ここで、端子部４ｂは、鎖錠ばね６０と、補助ばね６１と、解除レバー６２とともに、電線線を鎖錠する速結端子を構成するものであり、鎖錠ばね６０と対向するように延設された一対の押さえ片４ｃ，４ｃを有している。一方、電源用刃受部４Ｂは、図４（ｂ）に示すように、電源側の電源用栓刃挿入孔３ａから挿入されたプラグの栓刃が接触接続されるものであり、その構成は、上記電源用刃受部４Ａと同様であるから説明を省略する。
【００２５】
接地極用刃受部５は、図４（ａ）に示すように、電源用刃受部４Ａ，４Ｂと同様に銅板等の導電性を有する金属板から曲成されており、長手方向両端側に、プラグの接地極用の栓刃が接触接続される刃受ばね５ａをそれぞれ有している。また、長手方向一端側の刃受ばね５ａからは、接地栓挿入孔２ｄから器体１内に挿入された接地線との接触接続に用いられる一対の端子部５ｂが延設されている。また、長手方向他端側の刃受ばね５ａの近傍には、カバー３の後面と当接して接地極用端子板５の浮き上がりを防止するための浮き上がり防止片５ｃが設けられている。上記の端子部５ｂは、端子部４ｂと同様に、鎖錠ばね６０と、補助ばね６１と、解除レバー６２とともに、接地線を鎖錠する速結端子を構成するものであり、鎖錠ばね６０と対向するように延設された押さえ片５ｄを有している。また、端子部５ｂには、アースターミナル７０が固定される固定部５ｅが設けられている。
【００２６】
鎖錠ばね６０は、図４（ｂ）に示すように、略ム字状に形成された板ばねであって、端子部４ｂ，５ｂの押さえ片４ｃ，５ｄとの間で電源線（又は接地線）を狭持するとともに、電源線（又は接地線）に食い込んでこれらの抜けを防止するための鎖錠片６０ａを有している。補助ばね６１は、板ばねであって、解除レバー６２を器体１外方へ向けて付勢するために用いられる。解除レバー６２は、合成樹脂製のものであり、ボディ２の開口部２ｅ，２ｇからボディ２の外方へ露出される前述の操作部６２ａと、鎖錠ばね６０の鎖錠片６０ａを押圧するための押圧片６２ｂとを有して、ボディ２に揺動自在に収納される。
【００２７】
アースターミナル７０は、図示しないプラグに設けられた接地用の接続線を接続するためのものであって、銅板等の導電性を有する金属板から曲成されており、中央部にねじ端子７２に対応するねじ孔７０ａを有する平板部７０ｂと、アースターミナル７０を接地極用端子板５の固定部５ｅにかしめ固定するための固定片７０ｃと、金属枠８に接触接続される接続片７０ｄとを一体に備えており、接続片７０ｄの先端部には、接続片７０ｄを金属枠８にかしめ固定するための一対のかしめ片７０ｅ，７０ｅが一体に突設されている。また、アースターミナル７０の平板部７０ｂの前面側には、中央部にねじ端子７２用のねじ挿通孔７１ａを有する座金７１が配置される。そして、このアースターミナル７０には、前述のプラグに設けられた接地用の接続線が、端子ねじ７２を用いて取り付けられ、これにより接地用の接続線を接地することが可能となる。
【００２８】
次に、器体１を取り付ける金属枠８について説明する。この埋込配線器具用の金属枠８は、ＪＩＳ規格で規格化されている大角形連用配線器具の１連用のものであって、例えば、鋼板を用いて、中央部に器体１の前面を露出させる長方形状の開口窓８ｃを有する略矩形枠状に形成されている。さらに詳しく説明すると、金属枠８は、図３に示すように、互いに並行する長尺状の一対の枠片８ａ，８ａと、一対の枠片８ａ，８ａの一端部同士及び他端部同士をそれぞれ連結する横片８ｂ，８ｂとを一体に備え、これら枠片８ａ，８ａ及び横片８ｂ，８ｂとで囲まれた中央部が、開口窓８ｃとして用いられる。
【００２９】
各枠片８ａ，８ａには、器体１の取り付けに用いられる一対の取付片８ｄが後方に突設されており、これら取付片８ｄには、器体１の取付部１ａと嵌合（凹凸嵌合）する取付孔８ｅが形成されている。各横片８ｂ，８ｂの中央部には、金属枠８を壁面等の施工面に埋込配置された埋め込みボックス（図示せず）等に取り付けるためのボックスねじ（図示せず）を挿通するボックス用孔８ｆと、化粧プレート（図示せず）等を取り付けるためのプレートねじ（図示せず）が螺着されるプレートねじ孔８ｇとが形成されている。さらに、金属枠８の一方の横片８ｂには、図２（ａ）に示すように、アースターミナル７０の接続片７０ｄを金属枠８にかしめ固定するための切欠部８ｈが形成されている。尚、このような金属枠８は、主に外気にさらされた状態での使用が想定されているため、防錆性を付与するために種々のめっき処理等が施されている。
【００３０】
以上により本実施形態のコンセント装置は構成されており、以下にその組み立て方法について説明する。まず、ボディ２には、一対の電源用刃受部４Ａ，４Ｂと、接地極用刃受部５と、６つの鎖錠ばね６０と、６つの補助ばね６１と、６つの解除レバー６２と、アースターミナル７０とが収納される。ここで、電源用刃受部４Ａ，４Ｂは、電源線挿入孔２ｆ，２ｆに端子部４ｂを対向させた状態で、電源用収納部Ｓ２，Ｓ２のそれぞれに収納される。同時に、鎖錠ばね６０，６０が、各端子部４ｂの一対の押さえ片４ｃ，４ｃとそれぞれ対向するようにして電源用収納部Ｓ２，Ｓ２に収納され、さらに、解除レバー６２が、操作部６２ａを開口部２ｇから器体１外方へ露出させた状態で、補助ばね６１とともに各電源用収納部Ｓ２に収納される。同様に、接地極用刃受部５は、接地線挿入孔２ｄ，２ｄに端子部５ｂ，５ｂを対向させた状態で、接地極用収納部Ｓ１に収納される。同時に、鎖錠ばね６０が、各端子部５ｂの押さえ片５ｄと対向するようにして接地極用収納部Ｓ１に収納され、さらに、解除レバー６２が、操作部６２ａを開口部２ｅから器体１外方へ露出させた状態で、補助ばね６１とともに接地極用収納部Ｓ１に収納される。
【００３１】
以上により、電源線挿入孔２ｆ及び接地線挿入孔２ｄにそれぞれ対応して、速結端子が構成されることになる。したがって、例えば、電源線挿入孔２ｆに挿入された電源線は、端子部４ｂの押さえ片４ｃと鎖錠ばね６０の鎖錠ばね６０ａとで狭持された状態で、端子部４ｂと電気的に接続されることになる。ここで、鎖錠ばね６０と押さえ片４ｃとで狭持された電源線は、鎖状ばね６０の鎖錠片６０ａの先端が電源線に食い込むことで、電源線挿入孔２ｆからの脱落が防止されるようになっている。尚、電源線を電源線挿入孔２ｆから引き抜く時は、補助ばね６１によって器体１外方へ付勢された解除レバー６２を、その操作部６２ａを押圧することによって付勢に逆らって器体１側へ押圧すればよく、このように操作部６２を押圧すれば、解除レバー６２の押圧片６２ｂによって鎖錠片６０ａが電源線から離間する方向へ変形し、これにより電源線を引き抜くことが可能となる。この点は、接地線挿入孔２ｄにおいても同様であるから説明を省略する。
【００３２】
ボディ２に収納された接地極用刃受部５の固定部５ｅには、アースターミナル７０の固定片７０ｃがかしめ固定により固定され、これによりアースターミナル７０が接地極用刃受部５に電気的に接続される。また、このアースターミナル７０の平板部７０ｂのねじ孔７０ａには、座金７１のねじ挿通孔７１ａを挿通したねじ端子７２が螺着される。
【００３３】
上記のように一対の電源用刃受部４Ａ，４Ｂと、接地極用刃受部５と、６つの鎖錠ばね６０と、６つの補助ばね６１と、６つの解除レバー６２と、アースターミナル７０とが収納されたボディ２には、その前面開口を閉塞するようにカバー３が被せられる。ここで、カバー３をボディ２に被せた際には、一方（図３における左方）の電源用収納部Ｓ２に収納されている電源用刃受部４の刃受ばね４ａ，４ａが、カバー３の電源用線刃挿入孔３ａ，３ａとそれぞれ対向し、他方（図３における右方）の電源用収納部Ｓ２に収納されている電源用刃受部４の刃受ばね４０，４０が、カバー３の電源用栓刃挿入孔３ｂ，３ｂとそれぞれ対向するようになっている。また、接地極用収納部Ｓ１に収納されている接地極用刃受部５の刃受ばね５ａ，５ａが、カバー３の接地極用栓刃挿入孔３ｃ，３ｃとそれぞれ対向するようになっている。加えて、カバー３のアース用開口部３ｄからは、アースターミナル７０が外部に臨んでおり、カバー３の開口部３ｆからは、アースターミナル７０の接続片７０ｄが器体１外部へ導出されている。さらに、カバー３には、アース用開口部３ｄを閉塞するように、アースターミナル７０用のカバー７３が取り付けられる。一方、ボディ２にカバー３を被せた際には、ボディ２のリブ２ａと、カバー３のリブ３ｅとによって、取付部１ａが構成される。
【００３４】
以上により器体１が構成され、この器体１は、次のようにして金属枠８に取り付けられる。すなわち、器体１は、図１（ａ），（ｂ）に示すように、金属枠８の開口窓８ｃから前面（すなわちカバー３の前面）を露出させるとともに、器体１外部へ導出されたアースターミナル７０の接続片７０ｄを、金属枠８の切欠部８ｈに挿通させた状態で、取付部１ａと金属枠８の取付片８ｄの取付孔８ｅとを嵌合することによって金属枠８に取り付けられる。尚、このようにして器体１を金属枠８に取り付けた際には、取付部１ａと取付孔８ｅとが凹凸嵌合していることによって、ボディ２とカバー３とが結合されることになり、器体１を金属枠８に取り付けている間は、カバー３がボディ２から外れないようになっている。
【００３５】
最後に、金属枠８の切欠部８ｈを挿通させた接続片７０ｄのかしめ片７０ｅ，７０ｅを、図２（ｂ）に示すように、互いに離間するように折曲して接続片７０ｄを金属枠８にかしめ固定することで、本実施形態のコンセント装置が完成する。そして、このコンセント装置では、接続片７０ｄを金属枠８に接触接続することによって、接地極用刃受部５及びアースターミナル７０に金属枠８を電気的に接続しているから、金属枠８を接地することが可能となる。
【００３６】
したがって、以上説明した本実施形態のコンセント装置によれば、アースターミナル７０に一体に形成した接続片７０ｄによって金属枠８が接地されているので、コンセント装置の絶縁性の低下によって金属枠８に漏電が発生した際でも、このような漏電電流を大地に逃すことができ、これにより使用者が金属枠８に触れることによる感電事故を防止できるという効果を奏する。また、接続片７０ｄを、アースターミナル７０に一体に形成しているから、金属枠８を接地するために新たな部品を設ける必要がなくなり、これにより必要最小限の部品で金属枠８を接地できて、コストの増加を抑制できるという効果を奏する。
【００３７】
尚、本実施形態では、器体１の寸法を、３個モジュール寸法としたが、器体１の寸法は、状況に応じて変更すればよい。また尚、本実施形態では、コンセント口を２組備えているコンセント装置としたが、コンセント口は１つでもよいし、コンセント口を２つ設ける代わりに、コンセント装置からの給電をオン／オフするスイッチや、タイマスイッチ等を設けるようにしてもよい。この点は、後述する実施形態２〜４においても同様である。
【００３８】
（実施形態２）
本実施形態のコンセント装置は、実施形態１とは異なりアースターミナルを有していないコンセント装置であって、図５（ａ），（ｂ）に示すように、プラグの一対の電源用の栓刃（図示せず）及び接地極用の栓刃（図示せず）がそれぞれ挿入される一対の電源用栓刃挿入孔３０ａ，３０ｂ及び接地極用栓刃挿入孔３０ｃを前面に有する器体１０と、器体１０に収納されて一対の電源用の栓刃がそれぞれ接触接続される電源用刃受部（図示せず）と、器体１０に収納されて接地極用の栓刃が接触接続される接地極用刃受部５０（図７（ｂ）参照）と、中央部に設けられた開口窓８ｃから器体１０の前面を露出させた状態で器体１０が取り付けられる埋込配線器具用の金属枠８０とを備え、金属枠８０には、器体１０の側面に設けられた開口部２０ｇを介して器体１０内に導入されて、接地極用刃受部５０に接触接続される接続片８０ａが一体に形成されている。尚、実施形態１と同様の構成については、同一の符号を付して説明を省略する。
【００３９】
器体１０は、金属枠８０の開口窓８ｃに１つ取り付けることができる寸法、所謂３個モジュール寸法に形成されており、図５（ａ），（ｂ）に示すように、前面が開口した箱状のボディ２０と、ボディ２０の前面開口を覆うようにしてボディ２０に取り付けられるカバー３０とを有し、これらは金属枠８０を用いて結合されるようになっている。
【００４０】
ボディ２０は、合成樹脂製のものであって、図６（ａ），（ｂ）に示すように、上述したように前面が開口した箱状に形成されており、ボディ２０の短手方向における両側面には、カバー３０との結合に用いられるリブ２０ａが一対ずつ形成されている。また、ボディ２０内は、図６（ｂ）に示すように、仕切壁２０ｂによって、接地極用収納部Ｓ３、一対の電源用収納部Ｓ４，Ｓ４とに仕切られている。さらに、ボディ２０の底面（後面）において接地極用収納部Ｓ３に対応する部位には、図６（ｂ）に示すように、接地線をボディ２０内に挿入するための一対の接地線挿入孔２０ｃ，２０ｃと、マイナスドライバ（図示せず）等の治具をボディ２０内に挿入するための孔部２０ｄとが設けられている。加えて、ボディ２０の底面（後面）において各電源用収納部Ｓ４に対応する部位には、図５（ｂ）に示すように、電源線をボディ２０内に挿入するための一対の電源線挿入孔２０ｅ，２０ｅと、マイナスドライバ（図示せず）等の治具をボディ２０内に挿入するための孔部２０ｆとが設けられている。一方、ボディ２０の長手方向一端側（図６（ｂ）における下側）には、ボディ２０の内外に連通する開口部２０ｇが形成されており、この開口部２０ｇを介して金属枠８０が接地極用刃受部５０に接触接続されることになる。また、接地極用収納部Ｓ３における開口部２０ｇの近傍には、接地極用刃受部５０を固定するための一対の固定リブ２０ｈ，２０ｈが設けられている。
【００４１】
カバー３０は、合成樹脂製のものであって、ボディ２０の前面開口を覆うことができる程度の大きさに形成されており、カバー３０の前面には、接地側の電源用栓刃挿入孔３０ａ及び電源側の電源用線刃挿入孔３０ｂと、接地極用栓刃挿入孔３０ｃとからなるコンセント口が、カバー３０の長手方向に沿って２つ形成されている。また、カバー３０の短手方向両側面には、各一対のリブ３０ｄが形成されており、これらは、カバー３０をボディ２０に被着した際に、ボディ２０の各リブ２０ａとともに取付部１０ａを構成するようになっている。尚、取付部１０ａは、上記実施形態１の取付部１ａと同形状（すなわち、金属枠８０の取付孔８ｅと嵌合可能な形状）に形成されており、これによって、取付部１０ａを用いて器体１０を金属枠８０に取り付けることができるようになっている。
【００４２】
このような器体１０には、一対の電源用刃受部と、接地極用刃受部５０と、鎖錠ばね（図示せず）とが収納される。
【００４３】
ここで、一方の電源用刃受部は、上記実施形態１の電源用刃受部４Ａと同様に、接地側の電源用線刃挿入孔３０ａから挿入されたプラグの栓刃が接触接続されるものであって、銅板等の導電性を有する金属板から曲成されて、プラグの電源用の栓刃と接触接続される刃受ばね（図示せず）をそれぞれ有するとともに、電源線挿入孔２０ｅから器体１０内に挿入された電源線との接触接続に用いられる端子部（図示せず）を有している。ここで、端子部は、上記鎖錠ばねとともに、電線線を鎖錠する速結端子を構成するようになっている。また、他方の電源用刃受部は、電源側の電源用栓刃挿入孔３０ｂから挿入されたプラグの栓刃が接触接続されるものであり、その構成は、上記電源用刃受部と同様であるから説明を省略する。
【００４４】
接地極用刃受部５０は、図７（ａ）に示すように、銅板等の導電性を有する金属板から曲成されており、長手方向両端側に、プラグの接地極用の栓刃が接触接続される刃受ばね５０ａをそれぞれ有している。また、接地極用刃受部５０の長手方向中央部には、接地栓挿入孔２０ｃから器体１０内に挿入された接地線との接触接続に用いられる一対の端子部５０ｂ，５０ｂが形成されている。この端子部５０ｂは、鎖錠ばねとともに、接地線を鎖錠する速結端子を構成するものである。さらに、接地極用刃受部５０の長手方向一端側の刃受ばね５０ａには、ボディ２０の開口部２０ｇから外部に臨み、金属枠８０の接続片８０ａが接触接続される平板状の受け片５０ｃが一体に延設されている。加えて、受け片５０ｃの中央部には、接続片８０ａが受け片５０ｃに接触した状態で挿通される挿通孔５０ｄが形成されている。
【００４５】
上記鎖錠ばねは、実施形態１の鎖錠ばね６０と同様のものであって、上記の各端子部との間で電源線や接地線を狭持するとともに、電源線や接地線に食い込んでこれらの抜けを防止するための鎖錠片（図示せず）を有している。
【００４６】
金属枠８０は、図７（ｂ）に示すように、上記実施形態１の金属枠８と同様のものであるが、一方の横片８ｂに切欠部８ｈを設ける代わりに、略Ｌ字状の接続片８０ａを開口窓８ｃ側に向けて一体に突設している点で異なっている。
【００４７】
以上により本実施形態のコンセント装置は構成されており、以下に、その組み立て方法について説明する。まず、ボディ２０には、一対の電源用刃受部と、接地極用刃受部５０と、６つの鎖錠ばねとが収納される。ここで、電源用刃受部は、電源線挿入孔２０ｅ，２０ｅに端子部を対向させた状態で、一対の電源用収納部Ｓ４，Ｓ４のそれぞれに収納される。また、各電源用収納部Ｓ４，Ｓ４には、２つの鎖錠ばねが、電源用刃受部の端子部とそれぞれ対向するとともに、鎖錠片を孔部２０から外部に臨ませた状態で収納される。また、接地極用刃受部５０は、接地線挿入孔２０ｃ，２０ｃに端子部５０ｂ，５０ｂをそれぞれ対向させるとともに、受け片５０ｃを開口部２０ｇの周縁部と固定リブ２０ｈ，２０ｈとの隙間に配置した状態で、接地極用収納部Ｓ３に収納される。また、接地極用収納部Ｓ３には、２つの鎖錠ばねが、各端子部５０ｂ，５０ｂとそれぞれ対向するとともに、鎖錠片を孔部２０ｄから外部に臨ませた状態で収納される。
【００４８】
以上により、各電源線挿入孔２０ｅ及び各接地線挿入孔２０ｃにそれぞれ対応して速結端子が構成されることになる。したがって、例えば、電源線挿入孔２０ｅに挿入された電源線は、電源用刃受部の端子部と鎖錠ばねの鎖錠片とで狭持された状態で、電源用刃受部と電気的に接続されることになる。このとき電源線は、鎖状ばねの鎖錠片の先端が食い込むことで、電源線挿入孔２０ｅからの脱落が防止されるようになっている。尚、電源線を電源線挿入孔２０ｅから引き抜く時は、孔部２０ｆからボディ２０内にマイナスドライバ等の治具を挿入して、鎖錠ばねの鎖錠片を撓めればよく、これにより電源線を引き抜くことが可能となる。この点は、接地線挿入孔２０ｃにおいても同様であるから説明を省略する。
【００４９】
上記のように一対の電源用刃受部と、接地極用刃受部５０と、６つの鎖錠ばねとが収納されたボディ２０には、その前面開口を閉塞するようにカバー３０が被着される。ここで、カバー３０をボディ２０に被着した際には、一方の電源用収納部Ｓ４に収納されている電源用刃受部の各刃受ばねが、カバー３０の電源用線刃挿入孔３０ａ，３０ａにそれぞれ対向し、他方の電源用収納部Ｓ４に収納されている電源用刃受部の各刃受ばねが、カバー３０の電源用栓刃挿入孔３０ｂ，３０ｂにそれぞれ対向するようになっている。また、接地極用収納部Ｓ３に収納されている接地極用刃受部５０の各刃受ばね５０ａ，５０ａが、カバー３０の接地極用栓刃挿入孔３０ｃ，３０ｃとそれぞれ対向するようになっている。さらに、ボディ２０にカバー３０を被着した際には、ボディ２０のリブ２０ａと、カバー３０のリブ３０ｅとによって、取付部１０ａが構成される。
【００５０】
以上により器体１０が構成され、この器体１０は、図５（ａ）に示すように、金属枠８０の開口窓８ｃから前面を露出させるとともに、金属枠８０の接続片８０ａと器体１０の開口部２０ｇとを対向させた状態で、取付部１０ａと金属枠８０の取付片８ｄの取付孔８ｅとを嵌合することによって金属枠８０に取り付けられる。
【００５１】
ところで、器体１０を金属枠８０に取り付けた状態では、図８（ａ）に示すように、金属枠８０の接続片８０ａは、接地極用刃受部５０の受け片５０ｃに接触接続されていない。そのため、最後に、接続片８０ａを接地極用刃受部５０に接続する作業を行う。この作業は、接続片８０ａに荷重をかけることで、接続片８０ａを器体１０側へ押し曲げて、図８（ｂ）に示すように、接続片８０ａの先部を器体１０の開口部２０ｇを介して受け片５０ｃの挿通孔５０ｄに挿通させるとともに、挿通孔５０ｄの内側面と当接させることで行われる。
【００５２】
以上により本実施形態のコンセント装置が完成し、このコンセント装置では、金属枠８０に一体に設けた接続片８０ａを接地極用刃受部５０に接触接続することによって、接地極用刃受部５０金属枠８０を電気的に接続しているから、金属枠８０を接地することが可能になる。
【００５３】
したがって、以上説明した本実施形態のコンセント装置によれば、金属枠８０に一体に形成した接続片８０ａによって金属枠８０が接地されているので、上記実施形態１と同様の効果を奏する。その上、本実施形態では、接続片８０ａは、金属枠８０に一体に形成され、器体１０内において接地極用刃受部５０に接触接続されているので、接続片を接地極用刃受部やアースターミナルに形成する場合とは異なり、使用者が接続片を充電部分であると誤認して不安を感じてしまうことを防止できるという効果を奏する。また、接触片は、一般に変色しにくい材料からなる（又は、変色しないように処理されている）金属枠の一部からなるので、接続片の変色を防止できて美感を損なうことがないという効果を奏する。さらに、接地極用刃受部や、アースターミナルのような材料コストの高い部品に接続片を設ける場合に比べて、コストの増加を抑制できるという効果を奏する。
【００５４】
尚、本実施形態のコンセント装置は、アースターミナルを有していないコンセント装置であるが、勿論、アースターミナル付きのコンセント装置であってもよく、この場合、金属枠８１の接続片８１ａの接続先としては、上記のように接地極用刃受部を選択してもよいし、アースターミナルを用いてもよい。さらには、アースターミナル及び接地極用刃受部の両方に接触接続するようにしてもよい。
【００５５】
（実施形態３）
本実施形態のコンセント装置は、実施形態２と同様にアースターミナルを有していないコンセント装置であって、図９（ａ），（ｂ）に示すように、プラグの一対の電源用の栓刃（図示せず）及び接地極用の栓刃（図示せず）がそれぞれ挿入される一対の電源用栓刃挿入孔３０ａ，３０ｂ及び接地極用栓刃挿入孔３０ｃを前面に有する器体１１と、器体１１に収納されて一対の電源用の栓刃とそれぞれ接触接続される電源用刃受部（図示せず）と、器体１１に収納されて接地極用の栓刃と接触接続される接地極用刃受部５１と、中央部に設けられた開口窓８ｃから器体１１の前面を露出させた状態で器体１１が取り付けられる埋込配線器具用の金属枠８１とを備え、接地極用刃受部５１には、器体１１の側面に設けられた開口部２１ａから器体１１外部へ導出され、金属枠８１と接触接続される接続片５１ａが一体に形成されている。尚、実施形態２と同様の構成については、同一の符号を付して説明を省略する。
【００５６】
器体１１は、上記の器体１０と同様のものであり、図９（ａ），（ｂ）に示すように、前面が開口した箱状のボディ２１と、ボディ２１の前面開口を覆うようにしてボディ２１に取り付けられるカバー３０とを有し、これらは金属枠８１を用いて結合されるようになっている。ここで、ボディ２１は、上記のボディ２０と同様のものであるが、実施形態２とは異なり金属枠８０の接続片８０ａを器体内部に導入するための開口部２０ｇの代わりに、接地極用刃受部５１に一体に形成した接続片５１ａを器体外部に導出するための開口部２１ａを有している点で異なっている。
【００５７】
上記器体１１には、一対の電源用刃受部と、接地極用刃受部５１と、鎖錠ばね（図示せず）とが収納される。ここで、一対の電源用刃受部及び鎖錠ばねは、上記実施形態２と同様のものであるから説明を省略し、接地極用刃受部５１についてのみ説明する。
【００５８】
接地極用刃受部５１は、上記の接地極用刃受部５０と同様のものであるが、受け片５０ｃを備える代わりに、金属枠８１に接触接続される接続片５１ａが一体に設けられている点で異なっている。この接続片５１ａの先端部には、接続片５１を金属枠８１にかしめ固定するための一対のかしめ片５１ｂ，５１ｂが一体に突設されている。
【００５９】
金属枠８１は、上記実施形態２の金属枠８０と同様のものであるが、一方の横片８ｂに接続片８０ａを設ける代わりに、接地極用刃受部５１の接続片５１ａを金属枠８１にかしめ固定するための切欠部８１ａが形成されている点で異なっている。
【００６０】
以上により本実施形態のコンセント装置は構成されており、以下に、その組み立て方法について説明する。まず、ボディ２１には、上記のボディ２０と同様に、一対の電源用刃受部と、接地極用刃受部５１と、６つの鎖錠ばねとが収納される。ここで、接地極用刃受部５１は、接地線挿入孔２０ｃ，２０ｃに端子部（図示せず）をそれぞれ対応させるとともに、接続片５１ａを開口部２１ａから外部へ導出した状態で、接地極用収納部に収納される。尚、電源用刃受部や鎖錠ばねについては上記実施形態２と同様であるから説明を省略する。
【００６１】
そして、一対の電源用刃受部と、接地極用刃受部５１と、６つの鎖錠ばねとが収納されたボディ２１に、その前面開口を閉塞するようにカバー３０を被着することで器体１１が構成され、この器体１１は、図９（ａ）に示すように、金属枠８０の開口窓８ｃから前面を露出させるとともに、器体１１外部へ導出された接地極用刃受部５１の接続片５１ａを、金属枠８１の切欠部８１ａに挿通させた状態で、取付部１０ａと金属枠８１の取付片８ｄの取付孔８ｅとを嵌合することによって金属枠８１に取り付けられる。
【００６２】
最後に、金属枠８１の切欠部８１ａを挿通させた接続片５１ａのかしめ片５１ｂ，５１ｂを、図９（ｃ）に示すように、互いに離間するように折曲して接続片５１ａを金属枠８１にかしめ固定することで、本実施形態のコンセント装置が完成する。そして、このコンセント装置では、接続片５１ａを金属枠８１に接触接続することによって、接地極用刃受部５１に金属枠８１を電気的に接続しているから、金属枠８１を接地することが可能となる。
【００６３】
したがって、以上説明した本実施形態のコンセント装置によれば、接地極用刃受部５１に一体に形成した接続片５１ａによって金属枠８１が接地されているので、上記実施形態１と同様の効果を奏する。
【００６４】
（実施形態４）
ところで、上記実施形態３では、接地極用刃受部５１に接続片５１ａを一体に設けているので、接続片５１ａは、接地極用刃受部５１と同一の部材、すなわち銅板等を用いて形成されている。そのため、使用者が接続片５１ａを見た際には、接続片５１ａが電源用刃受部のような充電部であると誤認して、不安を感じてしまうおそれがある。
【００６５】
そこで、本実施形態のコンセント装置では、実施形態３のコンセント装置の構成に加えて、図１０（ａ），（ｂ）に示すように、器体１１の開口部２１ａ（図９（ｂ）参照）から器体１１外部へ導出された接続片５１ａの部位を覆うカバー２１ｂを備えている。
【００６６】
ここで、カバー２１ｂは、接続片５１ａを囲繞するようにボディ２１に一体に形成されているものであるが、カバー２１ｂをボディ２１に着脱自在となるようにしてもよい。
【００６７】
このような本実施形態のコンセント装置によれば、器体１１の開口部２１ａから器体１１外部へ導出された接続片５１ａの部位をカバー２１ｂで覆っているので、接続片５１ａが使用者からは見えなくなり、これにより使用者が接続片５１ａを充電部分であると誤認して不安を感じてしまうことを防止できるという効果を奏する。
【００６８】
また、接地極用刃受部等は、一般に、導電性の良好な銅や、銅含有率の高い金属材料を用いて形成されるために、環境耐性が低く変色が生じやすいものであるが、本実施形態では、カバー２１ｂによって接続片５１ａを覆うことによって、このような変色を防止できて美感を損なうことがないという効果を奏する。
【００６９】
尚、実施形態１のコンセント装置では、アースターミナル７０に接続片７０ｄを設けているが、このようなアースターミナルも導電性の良好な銅等が用いられることが多いために、接続片７０ｄを見た使用者が不安を感じてしまうおそれがある。したがって、本実施形態のようなカバー２１ｂを実施形態１のコンセント装置にも設けるようにしてもよい。
【図面の簡単な説明】
【００７０】
【図１】（ａ）は、実施形態１のコンセント装置の前面側の斜視図であり、（ｂ）は、後面側の斜視図である。
【図２】（ａ）は、図１（ａ）の部分拡大図であり、（ｂ）は、図１（ｂ）の部分拡大図である。
【図３】（ａ）は、実施形態１のコンセント装置の部分分解斜視図であり、（ｂ）は、同上のコンセント装置の部分分解斜視図である。
【図４】（ａ）は、同上のコンセント装置の部分分解斜視図であり、（ｂ）は、同上のコンセント装置の部分分解斜視図である。
【図５】（ａ）は、実施形態２のコンセント装置の前面側の斜視図であり、（ｂ）は、後面側の斜視図である。
【図６】（ａ）は、実施形態２のボディの斜視図であり、（ｂ）は、前面図である。
【図７】（ａ）は、接地極用刃受部の斜視図であり、（ｂ）は、金属枠の斜視図である。
【図８】（ａ）は、コンセント装置の要部の嵌合前の拡大図であり、（ｂ）は、嵌合後の拡大図である。
【図９】（ａ）は、実施形態３のコンセント装置の前面側の斜視図であり、（ｂ）は、後面側の斜視図であり、（ｃ）は、同図（ａ）の部分拡大図である。
【図１０】（ａ）は、実施形態４のコンセント装置の器体の斜視図であり、（ｂ）は、実施形態４のコンセント装置の後面側の斜視図である。
【図１１】（ａ）は、従来のコンセント装置の斜視図であり、（ｂ）は、器体内部を示す前面図である。
【符号の説明】
【００７１】
１    器体
３ａ，３ｂ  電源用線刃挿入孔
３ｃ  接地極用線刃挿入孔
３ｆ  開口部
７０  アースターミナル
７０ｄ  接続片
８    金属枠
８ｃ  開口窓
【図１】
2007173124.tif 000003
【図２】
2007173124.tif 000004
【図３】
2007173124.tif 000005
【図４】
2007173124.tif 000006
【図５】
2007173124.tif 000007
【図６】
2007173124.tif 000008
【図７】
2007173124.tif 000009
【図８】
2007173124.tif 000010
【図９】
2007173124.tif 000011
【図１０】
2007173124.tif 000012
【図１１】
2007173124.tif 000013